(57)【特許請求の範囲】
【請求項１】
連結機構を備えた、１本または２本の操竿各先端夫々に、連結機構被着部、施嵌部を介して操紐ヘッドを連結した上、各操紐ヘッドと鋸紐とを係合し、地上から各操竿操紐ヘッドを操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の両端にハンドルを巻き解き自在に連結した上、建築物屋根の桁行き方向両端がわ地上に１人ずつ配した２人組みの作業者が、交互に各ハンドルを鋸引き操作するようにして建築物屋根上の積雪を桁行き方向に沿って上方から下方に向けて切断し、切断した軒先寄りの積雪をその自重によって滑落排除するよう操作するようにしてなることを特徴とする建築物屋根の除雪・除氷方法。
【請求項２】
連結機構を備えた、１本または２本の操竿各先端夫々に、連結機構被着部、施嵌部を介して操紐ヘッドを連結した上、各操紐ヘッドと鋸紐とを係合し、地上から各操竿操紐ヘッドを操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の一端にハンドルを巻き解き自在に連結する一方、同他端に弾性伸縮体を介在し、地上または地上雪中に固定した固定体を連結した上、建築物屋根の桁行き方向一端の地上に配した１人の作業者が、同桁行き方向他端に配した弾性伸縮体の弾性変形を利用して該ハンドルを鋸引き操作し、建築物屋根上の積雪を桁行き方向に沿って上方から下方に向けて切断し、切断した軒先寄りの積雪をその自重によって滑落排除するよう操作するようにしてなることを特徴とする建築物屋根の除雪・除氷方法。
【請求項３】
連結機構を備えた、１本または２本の操竿各先端夫々に、連結機構被着部、施嵌部を介して操紐ヘッドを連結した上、各操紐ヘッドと鋸紐とを係合し、地上から各操竿操紐ヘッドを操作し、鋸紐の地上に有る一端から、中途範囲を建築物屋根の雪庇に転倒Ｕ字形に掛け渡し、他端を再び地上に到達させた後、各操紐ヘッドから係合を解いた該鋸紐の両端にハンドルを巻き解き自在に連結した上、１人かまたは２人の作業者が、各ハンドルを互いに鋸引き操作し、建築物屋根の雪庇を上方から下方に向けて切断し、その自重によって落下させるよう操作するようにしてなることを特徴とする建築物屋根の除雪・除氷方法。
【請求項４】
連結機構を備えた、１本の操竿先端に、連結機構被着部、施嵌部を介して中継ヘッドを連結し、該施嵌部の頭部に直接か、または、頭部から延伸した吊り紐を介するかの何れか一方に、左右端に通過リングを一体化した一文字形フレームの左右端間中央を一体化した該中継ヘッド左右通過リング間に１本の鋸紐を進退自在に挿し通した上、該鋸紐両端夫々にハンドルを巻き解き自在に連結する一方、地上から操竿を操作し、該鋸紐中途範囲を建築物屋根雪上の桁行き方向往・復路状に掛け渡した後、１人の作業者が、建築物桁行き方向の一方で操竿を支持し、２人目の作業者が、建築物桁行き方向の他方に配して、各ハンドルを左右の手で交互に鋸引き操作し、建築物屋根上の積雪を桁行き方向に沿って軒先寄り、および棟梁寄りの桁行き方向往・復路線状部分を、夫々上方から下方に向けて切断し、概ね上下２個の直方体状に切断した軒先寄りの積雪塊をそれらの自重によって滑落排除するよう操作するか、または、自重によって滑落排除できなかった積雪は、作業者が屋根上に登り、簡易的な雪降ろし作業によって滑落排除するよう操作するようにしてなることを特徴とする建築物屋根の除雪・除氷方法。
【請求項５】
始めに、Ｕ字形フレームの中央部を一体化し、該Ｕ字形フレームの両端間に雪切り用ワイヤーを張設した雪庇切りヘッド、または、Ｔ字形フレームの中軸を一体化し、該丁字形フレームの左右端間に、左右連鎖紐を介して横転コ字形をなすよう雪落とし棒を連結した雪庇掻きヘッドを連結した操竿を用いて建築物屋根の雪庇を可能な限り落下・排除してしまい、請求項１ないし４に記載された何れか一の方法を用いて建築物屋根上の積雪を桁行き方向および梁間方向に沿って夫々一定間隔置き毎に、夫々上方から下方に向けて切断し、升目状複数個のブロック状に裁断した上、自重にて落下できなかった棟寄りのブロック状雪塊は、作業者が屋根上に登り、簡易的な雪降ろし作業によって滑落排除するよう操作するようにしてなることを特徴とする、請求項１ないし４に記載された何れか一記載の建築物屋根の除雪・除氷方法。
【請求項６】
地上付近から建築物屋根に到達可能な長さとし、その先端には、雪庇切りヘッド、雪庇掻きヘッド、操紐ヘッド、鋸紐中継ヘッドなどを主とする、夫々固有用途用に形成した複数種で別体の交換ヘッドの、夫々に設けてある施嵌部を着脱交換自在とするため用の被着部など、何れかの施嵌部が連結、一体化可能とする連結機構を備えてなる所要本数の操竿と、それら何れかの操竿に対し、複数種で別体の交換ヘッドとして少なくとも用意してある、施嵌部の頭部に、Ｕ字形フレームの中央部を一体化し、該Ｕ字形フレームの両端間に雪切り用ワイヤーを張設した雪庇切りヘッド、先とは別の施嵌部の頭部に、Ｔ字形フレームの中軸を一体化し、該Ｔ字形フレームの左右端間に、左右連鎖紐を介して横転コ字形をなすよう雪落とし棒を連結した雪庇掻きヘッド、更に別の施嵌部の頭部に直接か、または、頭部から延伸した曲腕先端かの何れか一方に、鋸紐操作用の鈎および／またはカラビナ吊用の環を設けた操紐ヘッド、および、更にまた別の施嵌部の頭部に直接か、または、頭部から延伸した吊り紐を介するかの何れか一方に、左右端に通過リングを一体化した一文字形フレームの左右端間中央を一体化した鋸紐中継ヘッドからなる交換ヘッドを備え、これらの交換ヘッドの中、何れか１種とを当該連結機構を介して組み合わせるようにしたことを特徴とする雪庇除去具セット。
【請求項７】
請求項６記載の雪庇除去具セットが、紐をさらに含み、該紐は、上記操紐ヘッドを用いた場合に使用する鋸紐であって、地上の一端から、中途範囲を建築物屋根雪上に掛け渡し、他端を再び地上に到達するに十分な長さとし、建築物屋根雪上に掛け渡すこととなる中途範囲に沿って、数ｃｍないし６０ｃｍ、望ましくは１０ｃｍないし２０ｃｍの間隔毎に瘤を配してなるものに形成されており、該鋸紐の一端か、または両端にハンドルを巻き解き自在に連結し、用途に応じて他端に、弾性伸縮体を介在し、地上または地上雪中への固定体を連結するようにした、請求項６記載の雪庇除去具セット。
【請求項８】
請求項６記載の雪庇除去具セットが、紐をさらに含み、該紐は、上記操紐ヘッドを用いた場合に使用する鋸紐であって、地上の一端から、中途範囲を建築物屋根の雪庇に転倒Ｕ字形に掛け渡し、他端を再び地上に到達するに十分な長さとし、建築物屋根雪庇上に掛け渡すこととなる中途範囲に沿って、数ｃｍないし６０ｃｍ、望ましくは１０ｃｍないし２０ｃｍの間隔毎に瘤を配してなるものに形成されており、該鋸紐の両端にハンドルを巻き解き自在に連結するようにした、請求項６記載の雪庇除去具セット。
【請求項９】
請求項６記載の雪庇除去具セットが、紐をさらに含み、該紐は、上記操紐中継ヘッドを用いた場合に使用する鋸紐であって、地上の一端から、中途範囲を建築物屋根往路上に掛け渡し、地上から立てた操竿先端の該操紐中継ヘッド左右の通過リングを通過して折り返し、中途範囲を建築物屋根復路上に掛け渡し、再び地上に到達するに十分な長さとし、建築物屋根往・復路上に掛け渡すこととなる中途範囲に沿って、数ｃｍないし６０ｃｍ、望ましくは１０ｃｍないし２０ｃｍの間隔毎に瘤を配してなるものに形成されており、該鋸紐両端にハンドルを巻き解き自在に連結するようにした、請求項６記載の雪庇除去具セット。
【発明の詳細な説明】
【技術分野】
【０００１】
この発明は、建築物の屋根上に降り積もった雪や、軒先やパラペットなどから張り出した雪庇や氷柱などを除去する技術に関連するものであり、特に、地上の作業者が安全且つ簡便に屋根の雪庇や氷柱などを除去可能とする雪庇および積雪除去具類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                              
【背景技術】
【０００２】
（着目点）
屋根上に降り積もる雪は、冬型の気圧配置によって発生する強風などが風下がわに向けて吹き付け、屋根の庇から更に張り出して雪庇を形成し、それが大きくなると自重に耐えきれずに落下してしまい、隣家を含む窓の破損や、地上の車両や通行者などに損害を及ぼす虞があり、特に、屋内暖房によって温められた屋根に接することにより、積雪底面が少しずつ融解し、夜間の冷え込みによって再凍結し、日中に再び融解するということを繰り返し、屋根上の積雪底面が氷化して滑落し易い状態となり、自重に耐えかねて落下する雪庇に引き摺られるように、背後の積雪も連なって一斉に滑落し、被害の規模を大きくしてしまうという事態を招く虞がある外、落下による被害を防止する対策を講じて地上の安全を確保した場合であっても、雪庇をそのまま放置すると、スガ漏りや軒先の破損など建築物自体に被害を及ぼす虞があり、屋根上の積雪や雪庇は、適切に排除するよう常に管理することが肝要である。
【０００３】
しかしながら、雪庇の除去や雪降ろしのために屋根上に登った作業者が、積雪諸共に地上に落下してしまい、大けがをするだけではなく、毎年、一冬の間に何にもの人が亡くなってしまったりしており、こうした高所作業の危険を避けるには、垂れ下がってきたりした雪庇を、地上から長い棒や棒の先に付けたスコップなどを使って除去する方法に拠らなければならないものの、この方法によって作業する人達でも、偶に落下してきた雪庇に巻き込まれてしまう事故が後を絶たず、これまで、事故が起きるたび毎に、安全且つ簡単に屋根上の積雪や雪庇を除去できる技術が求められてきていた。
【０００４】
（従来の技術）
こうした状況を反映し、その打開策となるような提案もこれまでに散見されない訳ではない。
例えば、下記の特許文献１（１）ないし１（５）に提案されているものに代表されるように、建築物の屋根に雪庇切断用や雪降ろし用の装置を設置し、その装置を操作することによって積雪や雪庇を落下・除去できるようにしたものや、同特許文献１（６）ないし１（１０）に見られるような、地上から屋根まで届く柄の先端に雪庇を下方から上向きに穿ったり、削ったり、切断したりするツール類を設けたものなどが散見される。
【０００５】
しかし、前者特許文献１（１）ないし１（５）に示されているような建築物の屋根に設置する大掛かりなものは、年間を通じて風雪に耐える充分な耐久強度を有するものとして確りとした構造物を設置しなければならず、建築物への新たな荷重負担を強いるものとなる上、屋根の外観を損ねてしまう虞があり、何よりも設置に多額の経費を要するものとなってしまい、経済的でないという欠点を有しており、また、特許文献１（６）ないし１（１０）に代表するような雪庇落とし用品類は、地上から直接、屋根の雪庇を削ったり、穿ったり、切断したりするようにして落下させることができるが、凍結して桁行き方向に強固に一体化した雪庇などは、落下させることが非常に困難なものであって、特に非力な高齢者や女性などにとっては過大な負担を強いる作業となってしまい、例えば落下させることに成功した場合にも、大きなままの雪庇が一気に落下してしまう虞があり、危険を伴う作業となってしまう虞があるという致命的な欠点があった。                                                            
【特許文献１】（１）特開２００１−４０９０８号公報    （２）特開２００５−９２３９号公報    （３）特開２００７−３２７２４１号公報    （４）特開２００８−７５３７７号公報    （５）特開２０１１−８０２６３号公報    （６）特開２０００−７３５０９号公報    （７）特開２００３−１８４２４７号公報    （８）特開２００８−１３８４４２号公報    （９）実用新案登録第３１７６７９８号公報    （１０）実用新案登録第３１８２０７４号公報
【発明の概要】
【発明が解決しようとする課題】
【０００６】
（問題意識）
上述したとおり、従前までに提案のある屋根に設置する各種の除雪装置や雪庇除去装置などは、建築物の屋根付近に設置するため、工事後に雨漏りやスガ漏りが発生してしまう虞があるなど、建築物自体に負担を強いる虞がある外、設置に多額の経費が必要な上、建築物の外観を損ねてしまう虞があり、春から秋にかけて外観を改善するよう撤去したり収納したりする場合には、新たな作業負担や経費負担を要するものとなってしまうなど、経済的負担が大きいという欠点を残すものであり、また、地上からの手作業によって軒先の雪庇や積雪を落下させる除雪用具類は、地上からの作業中に雪庇や積雪が大きな塊のまま落下してきてしまう虞があり、充分な安全性を確保するのが難しいという致命的な欠点を残すものであり、本願出願人は、永年に亘り、冬になると大型化し、硬く氷塊化して落下の虞と、それによって被る被害を心配しながら、危険を冒して屋根上に登って除雪作業を行ったり、地上から雪庇を落下させるようにする作業を行ってきたが、こうした危険な作業は、特に、高齢者や女性だけの世帯などにとっては一段と危険性が高まり、自らで行うことは到底不可能であることから、大きな経済的負担を負いながらも、専門業者などに除雪作業を依頼せざるを得ないというのが実情となっており、こうした経済的負担を負うことなく、高齢者や非力な女性などにも安全に雪庇を除去することができる新たな除雪技術の開発の必要性を痛感するに至った。
【０００７】
（発明の目的）
そこで、この発明は、建築物に構造物を設置せずとも利用可能であり、非力な高齢者や女性などにあっても、地上から安全且つ効率的な作業によって、建築物屋根の雪庇およびその背後付近にある積雪を簡便に排除可能とする新たな除雪技術の開発はできないものかとの判断から、逸速くその開発、研究に着手し、長期に渡る試行錯誤と幾多の試作、実験とを繰り返してきた結果、今回、遂に新規な建築物屋根の新規な除雪・除氷方法、および、その方法に用いる新規な構造の雪庇除去具、ならびに新規な構造の雪庇除去具セットを実現化することに成功したものであり、以下では、図面に示すこの発明を代表する実施例と共に、その構成を詳述することとする。                                                                                                
【課題を解決するための手段】
【０００８】
（発明の構成）
図面に示すこの発明を代表する実施例からも明確に理解されるように、この発明の除雪・除氷方法は、基本的に次のような構成から成り立っている。
即ち、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の両端にハンドルを巻き解き自在に連結した上、建築物屋根の桁行き方向両端がわ地上に１人ずつ配した２人組みの作業者が、交互に各ハンドルを鋸引き操作するようにして建築物屋根上の積雪を桁行き方向に沿って上方から下方に向けて切断し、切断した軒先寄りの積雪をその自重によって滑落排除するよう操作するようにしてなる、この発明の雪庇除去具セットを利用した構成を要旨とする建築物屋根の除雪・除氷方法である。
【０００９】
また、この基本的な構成のこの発明は、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の一端にハンドルを巻き解き自在に連結する一方、同他端に弾性伸縮体を介在し、地上または地上雪中に固定した固定体を連結した上、建築物屋根の桁行き方向一端の地上に配した１人の作業者が、同桁行き方向他端に配した弾性伸縮体の弾性変形を利用して該ハンドルを鋸引き操作し、建築物屋根上の積雪を桁行き方向に沿って上方から下方に向けて切断し、切断した軒先寄りの積雪をその自重によって滑落排除するよう操作するようにしてなる、この発明の雪庇除去具セットを利用した建築物屋根の除雪・除氷方法ということが可能である。
【００１０】
さらにまた、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根の雪庇に転倒Ｕ字形に掛け渡し、他端を再び地上に到達させた後、該鋸紐の両端にハンドルを巻き解き自在に連結した上、１人かまたは２人の作業者が、各ハンドルを互いに鋸引き操作し、建築物屋根の雪庇を上方から下方に向けて切断し、その自重によって落下させるよう操作するようにしてなる、この発明の雪庇除去具セットを利用した建築物屋根の除雪・除氷方法ということができる。
【００１１】
これを、より具体的に示すと、１本の操竿先端に、連結機構被着部、施嵌部を介して中継ヘッドを連結し、該中継ヘッド左右通過リング間に１本の鋸紐を進退自在に挿し通した上、該鋸紐両端夫々にハンドルを巻き解き自在に連結する一方、地上から操竿を操作し、該鋸紐中途範囲を建築物屋根雪上の桁行き方向往・復路状に掛け渡した後、１人の作業者が、建築物桁行き方向の一方で操竿を支持し、２人目の作業者が、建築物桁行き方向の他方に配して、各ハンドルを左右の手で交互に鋸引き操作し、建築物屋根上の積雪を桁行き方向に沿って軒先寄り、および棟梁寄りの桁行き方向往・復路線状部分を、夫々上方から下方に向けて切断し、概ね上下２個の直方体状に切断した軒先寄りの積雪塊をそれらの自重によって滑落排除するよう操作するか、または、自重によって滑落排除できなかった積雪は、作業者が屋根上に登り、簡易的な雪降ろし作業によって滑落排除するよう操作するようにしてなる、この発明の雪庇除去具セットを利用した建築物屋根の除雪・除氷方法となる。
【００１２】
これを換言すると、この発明の雪庇除去具セットを利用し、始めに雪庇切りヘッドまたは雪庇掻きヘッドを連結した操竿を用いて建築物屋根の雪庇を可能な限り落下・排除してしまい、その後に、鋸紐、ハンドル、および、操紐ヘッドまたは中継ヘッドを連結した操竿、必要に応じて固定体、弾性伸縮体などを適宜用い、建築物屋根上の積雪を桁行き方向および梁間方向に沿って夫々一定間隔置き毎に、夫々上方から下方に向けて切断し、升目状複数個のブロック状に裁断した上、自重にて落下できなかった棟寄りのブロック状雪塊は、作業者が屋根上に登り、簡易的な雪降ろし作業によって滑落排除するよう操作するようにしてなる、この発明の雪庇除去具セットを利用した建築物屋根の除雪・除氷方法ということができる。
【００１３】
（関連する発明１）
上記してなるこの発明の基本をなす建築物屋根の除雪・除氷方法に関連し、この発明には、それらに用いる雪庇除去具も包含している。
即ち、地上付近から建築物屋根に到達可能な長さとし、その先端には、雪庇切りヘッド、雪庇掻きヘッド、操紐ヘッド、鋸紐中継ヘッドなどを主とする、夫々固有用途用に形成した複数種で別体の交換ヘッドの、夫々に設けてある施嵌部を着脱交換自在とするため用の被着部など、何れかの施嵌部が連結、一体化可能とする連結機構を備えてなる所要本数の操竿と、それら何れかの操竿に対し、複数種で別体の交換ヘッドとして少なくとも用意してある、施嵌部の頭部に、Ｕ字形フレームの中央部を一体化し、該Ｕ字形フレームの両端間に雪切り用ワイヤーを張設した雪庇切りヘッド、先とは別の施嵌部の頭部に、Ｔ字形フレームの中軸を一体化し、該Ｔ字形フレームの左右端間に、左右連鎖紐を介して横転コ字形をなすよう雪落とし棒を連結した雪庇掻きヘッド、更に別の施嵌部の頭部に直接か、または、頭部から延伸した曲腕先端かの何れか一方に、鋸紐操作用の鈎および／またはカラビナ吊用の環を設けた操紐ヘッド、および、更にまた別の施嵌部の頭部に直接か、または、頭部から延伸した吊り紐を介するかの何れか一方に、左右端に通過リングを一体化した一文字形フレームの左右端間中央を一体化した鋸紐中継ヘッドからなる交換ヘッドの中、何れか１種を当該連結機構を介して組み合わせてなる構成を要旨とする、前記したこの発明の基本をなす建築物屋根の除雪・除氷方法に用いる雪庇除去具である。
【００１４】
（関連する発明２）
上記した雪庇除去具に関連し、この発明には、それら建築物屋根の除雪・除氷方法に用いる雪庇除去具セットも包含している。
即ち、紐からなり、地上の一端から、中途範囲を建築物屋根雪上に掛け渡し、他端を再び地上に到達するに十分な長さとし、建築物屋根雪上に掛け渡すこととなる中途範囲に沿って、数ｃｍないし６０ｃｍ、望ましくは１０ｃｍないし２０ｃｍの間隔毎に瘤を配してなる鋸紐を設け、該鋸紐の一端か、または両端にハンドルを巻き解き自在に連結し、用途に応じて他端に、弾性伸縮体を介在し、地上または地上雪中への固定体を連結し、この発明の基本をなす前記雪庇除去具と組み合わせてなるようにした構成の雪庇除去具セットである。
【００１５】
この発明の雪庇除去具セットを、より具体的なものとして示すと、紐からなり、地上の一端から、中途範囲を建築物屋根の雪庇に転倒Ｕ字形に掛け渡し、他端を再び地上に到達するに十分な長さとし、建築物屋根雪庇上に掛け渡すこととなる中途範囲に沿って、数ｃｍないし６０ｃｍ、望ましくは１０ｃｍないし２０ｃｍの間隔毎に瘤を配してなる鋸紐を設け、該鋸紐の両端にハンドルを巻き解き自在に連結し、この発明の基本をなす前記雪庇除去具と組み合わせたものとしてなる雪庇除去具セットとすることができる。
【００１６】
この発明の雪庇除去具セットを表現を変えて示すと、紐からなり、地上の一端から、中途範囲を建築物屋根往路上に掛け渡し、地上から立てた操竿先端中継ヘッド左右の通過リングを通過して折り返し、中途範囲を建築物屋根復路上に掛け渡し、再び地上に到達するに十分な長さとし、建築物屋根往・復路上に掛け渡すこととなる中途範囲に沿って、数ｃｍないし６０ｃｍ、望ましくは１０ｃｍないし２０ｃｍの間隔毎に瘤を配してなる鋸紐を設け、該鋸紐両端にハンドルを巻き解き自在に連結し、この発明の基本をなす前記雪庇除去具と組み合わせたものとしてなる雪庇除去具セットということができる。
【発明の効果】
【００１７】
以上のとおり、この発明の雪庇除去具によれば、従前までのものとは違い、上記したとおりの固有の特徴ある構成から、操竿の先端に連結機構を介して各種交換ヘッドを交換自在に組合せることによって地上付近から建築物屋根の雪庇およびその背後の積雪を安全且つ効率的に落下・除去することができるものとなり、しかも１本の操竿に多数の交換ヘッドの中の１個毎を交換自在に組み込み可能としたから、経済的で製造、輸送、保管などの生産から輸送、販売、購入、利用の各段階で秀れたコスト低減化、軽量化、省スペース化を達成可能とし、特に、雪庇切りヘッドや雪庇掻きヘッドを利用すると、地上から操竿を操作することによって屋根軒先から迫り出した雪庇を、上方から下方に向けて切り降ろし、または、下方から上方に向けて切り上げるよう操作して、簡便に雪庇を落下、除去するように処理することができ、さらに、操紐ヘッドや鋸紐中継ヘッドなどを選択的に装着し、鋸紐、ハンドル、固定体および弾性伸縮体などと組み合せ、雪庇除去具セットとすることにより、雪庇切りヘッドや雪庇掻きヘッドだけでは除去することができない程度に硬く氷化してしまった雪庇や、その背後の積雪などのように、従前までは、体力の有る男性が屋根上に登り、危険を冒して作業せざるを得なかったが、非力で高所作業が困難な高齢者や女性などであっても、地上からの平易な作業によって安全・確実且つ効率的に除雪することができようになるという秀れた特徴を発揮するものである。
【００１８】
地上から建築物屋根雪上に掛け渡し可能な長さの紐からなり、その中途範囲に沿って数ｃｍないし６０ｃｍ、望ましくは１０ｃｍないし２０ｃｍの間隔毎に瘤を配してなる鋸紐を設け、一端か、または両端かの何れかに夫々ハンドルを巻き解き自在に連結し、用途に応じて他端に、弾性伸縮体を介在し、地上または地上雪中への固定体を連結したものを、前記雪庇除去具と組み合わせたものとしてなる雪庇除去具セットによれば、１人の作業者が、操紐ヘッドを装着した操竿を操作して建築物屋根雪上に鋸紐を掛け渡した後、建築物一方外がわの地上または地上雪中に固定体を固定した上、建築物他方外がわに配置してハンドルを鋸引き操作するようにして、屋根雪上の雪庇や積雪を、切断して落下・排除することができるものとなり、また、鋸紐の両端にハンドルを設けたものは、建築物を挟に両外がわに配した合計２人の作業者が、交互にハンドルを軽微な力で鋸引き操作するようにして、鋸紐中途範囲に沿って数ｃｍないし６０ｃｍ、望ましくは１０ｃｍないし２０ｃｍの間隔毎に配した複数個の瘤が、氷化した積雪を効果的に掻き切る作用を発生し、屋根雪上の雪庇や積雪を短時間の内に一挙切断・除去することができるものとなり、この発明の建築物屋根の除雪・除氷方法を実現化することができるという効果を奏するものとなる。
【００１９】
鋸紐の一端を地上に留め、中途範囲を建築物屋根往路上に掛け渡し、地上から立てた操竿先端中継ヘッド左右の通過リングを通過して折り返し、中途範囲を建築物屋根復路上に掛け渡し、再び地上に到達するものとし、同該鋸紐両端にハンドルを巻き解き自在に連結したものを雪庇除去具と組み合わせたものとしてなる雪庇除去具セットを利用することにより、操竿を支持する作業者と、建築物屋根を挟み、各ハンドルを左右の手で把持する作業者との合計２名が協働し、一方の作業者が、左右のハンドルを交互に鋸引き操作するようにして、該鋸紐の軒先がわとなる雪庇、および、同鋸紐の往路と復路との間にある雪庇や積雪を分断するよう切断して、夫々ブロック状雪塊として切断・落下するように操作することができ、一段と効率的に屋根上の除雪作業を行うことができるという秀れた効果が得られる。
【００２０】
この発明の雪庇除去具を利用した建築物屋根の除雪・除氷方法によれば、操竿先端に、連結機構被着部、施嵌部を介して雪庇切りヘッドか、または、雪庇掻きヘッドかの何れか一方を連結した上、地上から操竿を操作し、建築物屋根の雪庇に雪庇切りヘッドか、または、雪庇掻きヘッドかの何れか一方を、上方から下方に向けて切り降ろし、または、下方から上方に向けて切り上げるよう操作することによって、該雪庇切りヘッドの雪切り用ワイヤーが、雪庇の所定幅範囲を低抵抗且つ容易に切断するものとなり、また、該雪庇掻きヘッドの雪落とし棒が、硬く氷化した雪庇も、強固に係合して引き落とすよう、または、引き上げるようにして分断して落下させることが可能になり、特に、軒先から大きく迫り出した雪庇の落下し易い先端部分を効率的に除去し、後の除雪作業を安全且つ効率的に進めるようにすることができる。
【００２１】
操紐ヘッドを連結した操竿を用い、鋸紐を建築物屋根雪上の桁行き方向に掛け渡した後、該鋸紐の両端にハンドルを巻き解き自在に連結した上、建築物屋根の桁行き方向両端がわ地上に１人ずつ配した２人組みの作業者が、交互に各ハンドルを鋸引き操作するようにすることにより、従前までであれば、氷化して地上からの作業では、除去することが非常に困難であった雪庇およびその背後の積雪などを、屋根上に登ることなく、地上からの安全な作業のみによって簡単且つ確実に除去することができ、非力な高齢者や女性などであっても、除雪業者などに依頼せずとも自らの手によって短時間の内に、軒先の危険な雪庇を一挙に除去することができるものとすることができる。
【００２２】
加えて、鋸紐の一端にハンドルを巻き解き自在に連結する一方、同他端に弾性伸縮体を介在し、地上または地上雪中に固定した固定体を連結して、建築物屋根の桁行き方向一端の地上に配した１人の作業者が、同桁行き方向他端に配した弾性伸縮体の弾性変形を利用して該ハンドルを鋸引き操作することにより、前述の２人による作業と略同等の除雪作業を１人で行うことができるようになり、複数の人手を要さずとも安全に除雪作業を行えるものとし、雪庇除去作業の煩わしさを、さらに軽減できるようになるという秀れた特徴を得ることができる。
【００２３】
さらに、操紐ヘッドを連結した操竿を操作して、鋸紐の中途範囲を建築物屋根の雪庇に転倒Ｕ字形に掛け渡した後、該鋸紐の両端にハンドルを巻き解き自在に連結した上、１人かまたは２人の作業者が、各ハンドルを互いに鋸引き操作することによって、該鋸紐によって転倒Ｕ字形に囲まれた雪庇部分を上方から下方に向けて簡単に切断し、その自重によって落下させるよう操作することができ、軒先から部分的に張り出した雪庇などを効率的に除去することができる。
【００２４】
そして、操竿に連結した中継ヘッド左右通過リング間に１本の鋸紐を進退自在に挿し通した上、該鋸紐両端夫々にハンドルを巻き解き自在に連結し、該鋸紐中途範囲を建築物屋根雪上の桁行き方向往・復路状に掛け渡した後、１人の作業者が、建築物桁行き方向の一方で操竿を支持し、２人目の作業者が、建築物桁行き方向の他方に配して、各ハンドルを左右の手で交互に鋸引き操作するようにすることにより、建築物屋根上の積雪を桁行き方向に沿って軒先寄り、および棟梁寄りの桁行き方向往・復路線状部分を、夫々上方から下方に向けて切断し、概ね上下２個の直方体状に切断した軒先寄りの積雪塊をそれらの自重によって滑落排除するよう操作するようにして、格段に効率的に雪庇および積雪の除去を実現化することができ、建築物屋根上の全ての積雪を除去する場合には、例えば、棟寄りに自重によって滑落せずに残ってしまった積雪のみを、作業者が屋根上に登り、簡易的な雪降ろし作業によって滑落排除するよう操作するようにすることができ、従前までのように屋根上に登り、危険を冒して軒先付近から棟がわの屋根上全ての雪庇および積雪を、スコップなどを用いて打ち砕いたり、切り出したりしながら、除雪しなければならない労働負担の重い作業に比較して格段に安全な軽作業とすることができるという特徴を発揮することとなる。
【００２５】
さらにまた、この発明の雪庇除去具セットを利用した建築物屋根の除雪・除氷方法により、建築物屋根上の積雪を桁行き方向および梁間方向に沿って夫々一定間隔置き毎に、夫々上方から下方に向けて切断し、升目状複数個のブロック状に裁断した上、自重にて落下できなかった棟寄りのブロック状雪塊は、作業者が屋根上に登り、簡易的な雪降ろし作業によって滑落排除するよう操作するようにすることができ、作業者はブロック状雪塊の１個ずつを、スコップなどを利用して順次落下・排除するよう作業を進めることができるから、除雪の労働負担を大幅軽減できる上、屋根上の積雪全体が一挙に雪崩状に滑落する危険性を大幅に軽減し、一段と安全な除雪作業を実現化することができるという大きな効果を奏することになる。                                                                                                  
【発明を実施するための最良の形態】
【００２６】
上記したとおりの構成からなるこの発明の実施に際し、その最良もしくは望ましい形態について説明を加えることにする。
操竿は、建築物屋根上の雪庇や、雪庇背後の積雪などに直接的に接触して除去するための各種ヘッド類、または、鋸紐を建築物屋根の雪庇上や、雪庇背後の積雪上などに掛け渡すよう遠隔的に操作可能とする各種ヘッド類などを、先端部に着脱自在に装着可能であって、地上から建築物屋根の雪庇や、雪庇背後の積雪などに到達および操作可能とする機能を担い、この発明の雪庇除去具の一部をなすものであり、地上の作業者が、各種ヘッド類を選択的に装着し、屋根上に到達させ且つ自在に操作可能な長さおよび強度を有するものとしなければならず、直線棒状且つ軽量で安全且つ容易に操作可能なものとすべきであり、長さ調節や折り畳み収納などを可能とするよう、釣り竿型の伸縮機構や継足機構を有するものなどとすることができ、木材製や竹製のもの、アルミニウム、ステンレス、チタン、その他の金属などの軽量パイル製のものとすることができる外、ガラス繊維強化樹脂製の円筒管からなるものや炭素繊維強化樹脂製の棒状のものなどとすることができ、後述する実施例に示すように、充分な耐久強度を備えた既製品の大型タモ網用のロッドや、釣り竿用のロッド先端に連結機構被着部を取付加工したものなどを利用することができる。
【００２７】
連結機構は、操竿の先端に、建築物屋根上の雪庇や、雪庇背後の積雪などに直接的に接触して除去するための各種ヘッド類や、または、鋸紐を建築物屋根の雪庇上や、雪庇背後の積雪上などに掛け渡すよう遠隔的に操作可能とする各種ヘッド類などを着脱・交換自在に装着可能とする機能を担い、それら各種ヘッド類などを充分な強度をもって操竿の先端に装着可能なものとしなければならず、操竿の先端に一体化した被着部と、各種ヘッド類の基部に一体化した施嵌部との組合せからなるものとし、除雪作業中に迅速に交換できるよう、可能な限り簡便に着脱可能なものとすべきであり、後述する実施例に示すように、操竿の先端に同心上配置となるよう雌ネジを一体化しなる被着部に、各種ヘッド類の基部から突出した雄ネジからなる施嵌部との組合せとしたり、または、操竿の先端に同心上配置となるよう穿設した装着穴からなる被着部に、各種ヘッド類の基部から突出した装着軸からなる施嵌部を装着し、該操竿の先端外周壁を外がわから軸心に向けて貫通するようハンドル付きの固定ネジを螺着し、施嵌部を仮固定可能としてなるものとしたりすることなどが可能であり、被着部および施嵌部の形状を対外に入れ替えた組合せとすることや、同等以上の連結強度が得られる前記以外の公知、または、今後開発される着脱構造のものに置き換えることが可能である。
また、被着部および／または施嵌部の一部形状を棒状に延伸し、操竿の先端を延長したり、雪庇の上がわまで到達可能とするよう曲腕形状のものとしたりすることができる。
【００２８】
交換ヘッドは、操竿の先端に、各種の機能を選択的に組み込み可能とし、建築物屋根上の雪庇や、雪庇背後の積雪などに直接的に接触して除去可能としたり、鋸紐を建築物屋根の雪庇上や、雪庇背後の積雪上などに掛け渡すよう遠隔的に操作可能としたりする機能を分担し、この発明の雪庇除去具の一部をなすものであり、連結機構となる被着部を有して操竿１１先端の被着部に着脱交換可能に接続可能とし、雪庇上や、雪庇背後の積雪を除去したり、鋸紐を操作したりするのに充分な強度を有するものとしなければならず、後述する実施例に示すように、鋸紐操作用の鈎および／またはカラビナ吊用の環を設けた操紐ヘッド、別の施嵌部の頭部に、Ｕ字形フレームの中央部を一体化し、該Ｕ字形フレームの両端間に雪切り用ワイヤーを張設した雪庇切りヘッド、先とは別の施嵌部の頭部に、Ｔ字形フレームの中軸を一体化し、該Ｔ字形フレームの左右端間に、左右連鎖紐を介して横転コ字形をなすよう雪落とし棒を連結した雪庇掻きヘッド、および、更に別の施嵌部の頭部に直接か、または、頭部から延伸した吊り紐を介するかの何れか一方に、左右端に通過リングを一体化した一文字形フレームの左右端間中央を一体化した、鋸紐中継ヘッドなどの中の何れか１個とすることができる。
【００２９】
その他、実施例には特に取り上げていないものの、別の施嵌部の頭部に、ハンマーやブレード、鋸刃、ヒーターなど何れかの氷柱落とし具を設けると共に、該氷柱落とし具直下に篭やネット袋などの氷柱受け具を設けた氷柱除去ヘッド、先とは別の施嵌部の頭部に、鰐口クリップ型の挟み具を設け、操竿に沿って遠隔操作機構を手元まで延伸し、操作レバーの操作などによって、雪庇や氷柱を遠隔的に切断・破砕可能とする氷破砕ヘッド、更に別の施嵌部の頭部に、電動モーターなどによって直接または伝動機構などを介して間接的に回転駆動可能なワイヤーブラシを設け、雪庇や氷柱を遠隔的に破砕可能な回転ブラシヘッドなど、除雪に関係して有効に機能するものを適宜開発、採用し、記述したものと併用もしくは単独で使用するようにすることが可能であることは言うまでもない。
【００３０】
交換ヘッドの一種である操紐ヘッドは、操竿の先端に、鋸紐を建築物屋根の雪庇上や、雪庇背後の積雪上などに掛け渡すよう遠隔的に操作する部品を組み込み可能とする機能を担い、施嵌部の頭部に直接か、または、頭部から延伸した曲腕先端かの何れか一方に、鋸紐操作用の鈎および／またはカラビナ吊用の環を設けたものとすべきであり、交換ヘッドの一種である雪庇切りヘッドは、操竿の先端に、建築物屋根の雪庇や、雪庇背後の積雪などに直接接触して落下させるよう削ったり、切ったりするワイヤー部品を組み込み可能とする機能を担い、施嵌部の頭部に、Ｕ字形フレームの中央部を一体化し、該Ｕ字形フレームの両端間に雪切り用ワイヤーを直線状に張設したものとすべきであり、交換ヘッドの一種である雪庇掻きヘッドは、操竿の先端に、建築物屋根の雪庇や、雪庇背後の積雪などに直接接触して落下させるよう、雪落とし棒を組み込み可能とする機能を担い、施嵌部の頭部に、Ｔ字形フレームの中軸を一体化し、該Ｔ字形フレームの左右端間に、左右連鎖紐を介して横転コ字形をなすよう雪落とし棒を連結したものとすべきであり、交換ヘッドの一種である鋸紐中継ヘッドは、地上から建築物屋根の雪庇上や、雪庇背後の積雪上を回り込ませた鋸紐の中途部分を、鋸紐の軸線方向に進退・摺動自在に掛止可能とする通過リングを組み込み可能とする機能を担い、施嵌部の頭部に直接か、または、頭部から延伸した吊り紐を介するかの何れか一方に、左右端に通過リングを一体化した一文字形フレームの左右端間中央を一体化したものとすべきである。
【００３１】
鋸紐は、地上から建築物屋根の雪庇上や、雪庇背後の積雪上に回り込み、地上作業者による操作を受けて、軸線方向に進退移動する過程で、雪庇や、雪庇背後の積雪などを切断、落下可能とする機能を担い、この発明の雪庇除去具と組み合わせて雪庇除去具セットとなるものであり、少なくとも地上から建築物屋根の雪庇上や、雪庇背後の積雪上を回り込ませ、再び地上に到達可能な長さ寸法の柔軟性を有する紐状のものとし、雪庇や、雪庇背後の積雪などに接する範囲に渡って点在する瘤を有するものとしなければならず、例えば、一端がわまたは両端がわに往復動操作用のハンドルを巻き付け、または連結したものとしたり、一端がわに往復動操作用のハンドルを巻き付け、または連結し、他端がわに地上または地上雪中への固定体を巻き付け、または連結したものとすることができ、後述する実施例に示すように、紐からなり、地上の一端から、中途範囲を建築物屋根雪上に掛け渡し、他端を再び地上に到達するに十分な長さとし、建築物屋根雪上に掛け渡すこととなる中途範囲に沿って、数ｃｍないし６０ｃｍ、望ましくは１０ｃｍないし２０ｃｍの間隔毎に瘤を配してなる鋸紐を設け、該鋸紐の一端か、または両端にハンドルを巻き解き自在に連結し、用途に応じて他端に、弾性伸縮体を介在し、地上または地上雪中への固定体を連結したものとすることができる。
【００３２】
鋸紐の各瘤は、鋸紐の紐直径よりも膨出して、同鋸紐を緊張させた状態にて長さ方向に向けて進退移動を繰り返すようにしながら、雪庇や積雪上に押圧するようにして鋸引き状に切断可能とする機能を担い、後述する実施例に示すように、鋸紐自体の結び目からなるものとすることができる外、ボール状、サイコロ状、ボタン状、パイプ状、鋸刃状、鈎状、針山状などの別部品を、鋸紐の長さ方向に沿って点在状に一体化したものとすることができる。
【００３３】
ハンドルは、作業者が鋸紐一端がわまたは両端がわを夫々巻き取り易くすると共に、作業者が鋸紐の端部がわを把持する場合の手指に加わる負担を軽減可能とし、さらに、鋸紐の端部がわを鋸引き動作状に往復動する操作を容易にする機能を担い、糸巻き枠状のものとしたり、紐巻き軸棒状のものとしたりすることができる外、後述する実施例に示すように、把持グリップ両端間に紐巻き取り用の枠部を一体化したものや、両手で把持するのに適する長さとした直棒状ハンドルの両端に、夫々先割れ状の紐用掛止部を設け、両端間中央に紐を装着可能な貫通孔を穿設してなるバーハンドル状のものなどとすることができる。
【００３４】
固定体は、鋸紐の一端がわを１人の作業者が把持して除雪作業を行う場合に、該鋸紐の他端がわに地上または地上雪中に確りと固定可能とする機能を担い、容易に脱抜しないよう地面や雪面に打ち込み可能な杭やアンカースクリュー、錨などとすることが可能である外、後述する実施例に示すように、鋸紐の他端がわを貫通して繋着可能な平板形状のものとし、雪中に水平姿勢に埋設して固定可能としたものとすることができる。
【００３５】
弾性伸縮体は、作業者が把持した鋸紐の一端がわを往復動操作する動作に反応して許容可能とするよう、鋸紐の他端がわ寄りの適所に伸縮変形を許容する弾性部分を設ける機能を担い、作業者が一端がわを引き寄せた鋸紐を緊張状態に維持すると共に、同作業者が牽引力を解除したときに、他端がわを元の位置まで引き戻す力を自動的に発生可能とし、同作業者の鋸引き動作に応じて弾性的伸縮状動作を連続的に繰り返し可能とするものとしなければならず、伸縮変形自在な弾性体や、伸縮機構などとすることができ、例えば弓状弾性体、コイル状弾性体、板状弾性体、棒状弾性体、チューブ状弾性体、滑車と錘に働く重力を利用するもの、電磁石や永久磁石などの磁力を利用するものなどとするのが望ましく、例えば後述する実施例に示すように、市販のエキスパンダーを利用するのが経済的に有利である。
【００３６】
また、鋸紐は、後述する実施例に示すように、紐からなり、地上の一端から、中途範囲を建築物屋根往路上に掛け渡し、地上から立てた操竿先端中継ヘッド左右の通過リングを通過して折り返し、中途範囲を建築物屋根復路上に掛け渡し、再び地上に到達するに十分な長さとし、建築物屋根往・復路上に掛け渡すこととなる中途範囲に沿って、数ｃｍないし６０ｃｍ、望ましくは１０ｃｍないし２０ｃｍの間隔毎に瘤を配してなる鋸紐を設け、該鋸紐両端にハンドルを巻き解き自在に連結したものとすることができる。
【００３７】
この発明の雪庇除去具を利用した建築物屋根の除雪・除氷方法は、雪庇除去具のみを使用して地上から、建築物屋根の雪庇や、雪庇背後の積雪を除去する技術にあり、連結機構被着部、施嵌部を介して雪庇切りヘッドか、または、雪庇掻きヘッドかの何れか一方を連結した上、地上から操竿を操作し、建築物屋根の雪庇に雪庇切りヘッドか、または、雪庇掻きヘッドかの何れか一方を、上方から下方に向けて切り降ろし、または、下方から上方に向けて切り上げるよう操作して、雪庇を落下、除去するように処理するものである。
【００３８】
この発明の雪庇除去具セットを利用した建築物屋根の除雪・除氷方法は、操竿、交換ヘッド、鋸紐などからなる雪庇除去具セットを効果的に利用して地上から、建築物屋根の雪庇や、雪庇背後の積雪を除去する技術にあり、例えば、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の両端にハンドルを巻き解き自在に連結した上、建築物屋根の桁行き方向両端がわ地上に１人ずつ配した２人組みの作業者が、交互に各ハンドルを鋸引き操作するようにして建築物屋根上の積雪を桁行き方向に沿って上方から下方に向けて切断し、切断した軒先寄りの積雪をその自重によって滑落排除するよう操作するものである。
【００３９】
また、この発明の雪庇除去具セットを利用した建築物屋根の除雪・除氷方法は、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根雪上の桁行き方向に掛け渡し、他端を再び地上に到達させた後、該鋸紐と各操竿操紐ヘッドとの係合を解いて離脱させ、該鋸紐の一端にハンドルを巻き解き自在に連結する一方、同他端に弾性伸縮体を介在し、地上または地上雪中に固定した固定体を連結した上、建築物屋根の桁行き方向一端の地上に配した１人の作業者が、同桁行き方向他端に配した弾性伸縮体の弾性変形を利用して該ハンドルを鋸引き操作し、建築物屋根上の積雪を桁行き方向に沿って上方から下方に向けて切断し、切断した軒先寄りの積雪をその自重によって滑落排除するよう操作するものや、１本または２本の操竿各先端夫々に、連結機構被着部、施嵌部を介して操紐ヘッドを連結した上、地上から各操竿操紐ヘッドを係合・操作し、鋸紐の地上に有る一端から、中途範囲を建築物屋根の雪庇に転倒Ｕ字形に掛け渡し、他端を再び地上に到達させた後、該鋸紐の両端にハンドルを巻き解き自在に連結した上、１人かまたは２人の作業者が、各ハンドルを互いに鋸引き操作し、建築物屋根の雪庇を上方から下方に向けて切断し、その自重によって落下させるよう操作するものなどとすることができる。
【００４０】
さらにまた、この発明の雪庇除去具セットを利用した建築物屋根の除雪・除氷方法は、１本の操竿各先端に、連結機構被着部、施嵌部を介して中継ヘッドを連結し、該中継ヘッド左右通過リング間に１本の鋸紐を進退自在に挿し通した上、該鋸紐両端夫々にハンドルを巻き解き自在に連結する一方、地上から操竿を操作し、該鋸紐中途範囲を建築物屋根雪上の桁行き方向往・復路状に掛け渡した後、１人の作業者が、建築物桁行き方向の一方で操竿を支持し、２人目の作業者が、建築物桁行き方向の他方に配して、各ハンドルを左右の手で交互に鋸引き操作し、建築物屋根上の積雪を桁行き方向に沿って軒先寄り、および棟梁寄りの桁行き方向往・復路線状部分を、夫々上方から下方に向けて切断し、概ね上下２個の直方体状に切断した軒先寄りの積雪塊をそれらの自重によって滑落排除するよう操作するか、または、自重によって滑落排除できなかった積雪は、作業者が屋根上に登り、簡易的な雪降ろし作業によって滑落排除するよう操作するものや、始めに雪庇切りヘッドまたは雪庇掻きヘッドを連結した操竿を用いて建築物屋根の雪庇を可能な限り落下・排除してしまい、その後に、鋸紐、ハンドル、および、操紐ヘッドまたは中継ヘッドを連結した操竿、必要に応じて固定体、弾性伸縮体などを適宜用い、建築物屋根上の積雪を桁行き方向および梁間方向沿って夫々一定間隔置き毎に、夫々上方から下方に向けて切断し、升目状複数個のブロック状に裁断した上、自重にて落下できなかった棟寄りのブロック状雪塊は、作業者が屋根上に登り、簡易的な雪降ろし作業によって滑落排除するよう操作するものとすることが可能である。
以下では、図面に示すこの発明を代表する実施例と共に、その構造について詳述することとする。                                                                                                            
【図面の簡単な説明】
【００４１】
図面は、この発明の雪庇除去具、雪庇除去具セット、およびそれを利用した建築物屋根の除雪・除氷方法の技術的思想を具現化した代表的な幾つかの実施例を示すものである。
【図１】雪庇除去具を示す正面図である。
【図２】雪庇除去具を示す側面図である。
【図３】雪庇除去具の他の例を示す正面図である。
【図４】雪庇除去具の他の例を示す側面図である。
【図５】雪庇除去具を利用した除雪・除氷方法を実施中の建築物屋根を示す正面図である。
【図６】雪庇除去具を利用した除雪・除氷方法を実施中の建築物屋根を示す側面図である。
【図７】操紐ヘッドを装着した雪庇除去具を示す側面図である。
【図８】操紐ヘッドを装着した雪庇除去具を示す平面図である。
【図９】操紐ヘッドを装着する操竿を示す側面図である。
【図１０】操紐ヘッドを装着する操竿を示す正面図である。
【図１１】別の操紐ヘッドを装着した雪庇除去具を示す側面図である。
【図１２】別の操紐ヘッドを装着した雪庇除去具を示す平面図である。
【図１３】別の操紐ヘッドを装着する操竿を示す側面図である。
【図１４】別の操紐ヘッドを装着する操竿を示す正面図である。
【図１５】また別の操紐ヘッドを装着した雪庇除去具を示す側面図である。
【図１６】また別の操紐ヘッドを装着した雪庇除去具を示す平面図である。
【図１７】また別の操紐ヘッドを装着する操竿を示す側面図である。
【図１８】また別の操紐ヘッドを装着する操竿を示す正面図である。
【図１９】さらに別の操紐ヘッドを装着した雪庇除去具を示す側面図である。
【図２０】さらに別の操紐ヘッドを装着した雪庇除去具を示す平面図である。
【図２１】さらに別の操紐ヘッドを装着する操竿を示す側面図である。
【図２２】さらに別の操紐ヘッドを装着する操竿を示す正面図である。
【図２３】曲腕を延伸した操紐ヘッドを装着した雪庇除去具を示す側面図である。
【図２４】曲腕を延伸した操紐ヘッドを装着した雪庇除去具を示す平面図である。
【図２５】曲腕を延伸した操紐ヘッドを装着する操竿を示す側面図である。
【図２６】曲腕を延伸した操紐ヘッドを装着する操竿を示す正面図である。
【図２７】鋸紐を示す正面図である。
【図２８】ハンドルを示す三面図および断面図である。
【図２９】固定体を示す三面図である。
【図３０】弾性伸縮体としてのエキスパンダーを示す正面図である。
【図３１】作業者が鋸紐を掛け渡す屋根上雪庇・積雪を示す正面図である。
【図３２】２人の作業者が鋸紐を掛け渡す屋根上雪庇・積雪を示す側面図である。
【図３３】作業者が鋸紐操作する除雪作業中の屋根上雪庇・積雪を示す正面図である。
【図３４】２人の作業者が鋸紐操作する除雪作業中の屋根上雪庇・積雪を示す側面図である。
【図３５】作業者が鋸紐操作によって落下させた雪庇・積雪を示す正面図である。
【図３６】２人の作業者が鋸紐操作によって落下させた雪庇・積雪を示す側面図である。
【図３７】１人の作業者が鋸紐操作する除雪作業中の屋根上雪庇・積雪を示す側面図である。
【図３８】１人の作業者が鋸紐操作によって落下させた雪庇・積雪を示す側面図である。
【図３９】雪庇除去具操竿の鋸紐用中継ヘッドの一使用例を示す平面図である。
【図４０】雪庇除去具操竿の鋸紐用中継ヘッドの他の使用例を示す平面図である。
【図４１】雪庇除去具操竿の鋸紐用中継ヘッドのさらに他の使用例を示す平面図である。
【図４２】鋸紐用中継ヘッドを利用した除雪作業を施す屋根上雪庇・積雪を示す側面図である。
【図４３】鋸紐用中継ヘッドを利用した除雪作業を施す屋根上雪庇を示す正面図である。
【図４４】鋸紐用中継ヘッドを利用した除雪作業を施す屋根上雪庇を示す側面図である。
【図４５】升目状複数個のブロック状に裁断した屋根上積雪を示す側面図である。
【図４６】鋸紐を用いてブロック状に裁断する屋根上積雪を示す側面図である。
【図４７】鋸紐を用いてブロック状に裁断する屋根上積雪を示す正面図である。
【実施例１】
【００４２】
図１ないし図２５に示す事例は、建築物屋根９に到達可能な長さとし、その先端には、雪庇切りヘッド３１、雪庇掻きヘッド３２、操紐ヘッド３３、鋸紐中継ヘッド３４などを主とする、複数種で別体の交換ヘッド３の、夫々に設けてある施嵌部２１を着脱交換自在とするため用の被着部２０など、何れかの施嵌部２１が連結、一体化可能とする連結機構２を備えてなる所要本数の操竿１１と、それら何れかの操竿１１に対し、複数種で別体の交換ヘッド３として少なくとも用意してある、施嵌部２１の頭部に一体化したＵ字形フレーム６１０の両端間に雪切り用ワイヤー３１１を張設した雪庇切りヘッド３１、先とは別の施嵌部２１の頭部に一体化したＴ字形フレーム３２０の左右端間に雪落とし棒３２２を連結した雪庇掻きヘッド３２、更に別の施嵌部２１の頭部に鈎３３０および／またはカラビナ３３１吊用の環３３２を設けた操紐ヘッド３３、および、更にまた別の施嵌部２１の頭部に左右端に通過リング３４１，３４１を一体化した一文字形フレーム３４０を一体化した鋸紐中継ヘッド３４からなる交換ヘッド３の中、何れか１種とを当該連結機構２を介して組み合わせてなるものとしたこの発明の雪庇除去具における代表的な一実施例を示すものである。
【００４３】
それら各図からも明確に把握できるとおり、この発明の雪庇除去具１は、地上付近から２階建ての建築物屋根９に到達可能な長さである６ｍないし８ｍのガラス繊維強化樹脂パイプ製棒体であって、漁業用大型タモ網の交換用ロッドを利用したものとすることができ、その先端には、被着部２０となる同心状の金属製ナット２０を埋設・一体化した操竿１１を有し、該金属製ナット２０（被着部）が、各交換ヘッド３の基部に設けた施嵌部２１である金属製ボルト２１と共に連結機構２となるものとしてある。
【００４４】
図１および図２に示すように、交換ヘッド３の１つである雪庇切りヘッド３１は、金属製ボルト２１の頭部に、左右幅５０ｃｍないし１ｍのＵ字形フレーム３１０の中央部を一体化し、該Ｕ字形フレーム３１０の両端間に雪切り用ワイヤー３１１を張設したものとすることができ、また、図３および図４に示すように、交換ヘッド３の１つである雪庇掻きヘッド３２は、別の金属製ボルト２１の頭部に、Ｔ字形フレーム３２０の中軸を一体化し、該Ｔ字形フレーム３２０の左右端間に、左右連鎖紐３２１，３２１を介して横転コ字形をなすよう雪落とし棒３２２の両端を連結したものとすることができ、当該Ｔ字形フレーム３２０および雪落とし棒３２２の各左右端には、夫々望遠鏡状に伸縮自在とした伸縮棒３２３，３２３，……を組み込み、Ｔ字形フレーム３２０および雪落とし棒３２２の左右端寄りの外周壁夫々に直交するよう緊締ネジ３２４，３２４，……を螺着し、各緊締ネジ３２４，３２４，……が各伸縮棒３２３，３２３，……を所望の幅寸法位置に仮固定可能としてなるものとすることができる。
【００４５】
図７ないし図１０に示すように、操紐ヘッド３３は、金属製ボルト２１の頭部に鋸紐５操作用の鈎３３０およびカラビナ３３１吊用の概略三角状の環３３２を設けたものとし、それら鈎３３０および環３３２の形や取付け姿勢などは、図１１ないし図１４に示すもののように変形可能であり、また、図１５ないし図２２に示すもののように、鋸紐５をより操作し易いよう形状に変化を加えた鈎３３０のみを有するの、または、図２３ないし図２６に示すように、金属製ボルト２１の頭部から曲腕２２を延伸し、該曲腕２２の先端に、鈎３３０およびカラビナ３３１吊用の円形状の環３３２を一体化してなるものとすることができ、それら形状の中の何れか一個の操紐ヘッド３３を、前記操竿１１と組み合わせたものとすることができる外、各形状の操紐ヘッド３３，３３，……を有し、それらの中から任意選択した１個を前記操竿１１に組み込み可能としたものなどとすることができる。
【００４６】
図２７に示すように、当該鋸紐５は、直径３ないし５ｍｍの合成繊維および／または天然繊維製であって、その全長を４０ｍ前後とし、建築物屋根９上に配した場合に、雪庇Ｅや積雪Ｓ上となる中途所定範囲に渡り、数ｃｍないし６０ｃｍ、望ましくは１０ｃｍないし２０ｃｍの間隔Ｄ毎に、直径６ないし１５ｍｍの結び目からなる瘤５０，５０，……を設けたものとする。
【００４７】
図３９に示すように、鋸紐５用の中継ヘッド３４は、金属製ボルト２１の頭部に、左右端に通過リング３４１，３４１を一体化した一文字形フレーム３４０の左右端間中央を一体化したものとすることができ、該鋸紐中継ヘッド３４左右通過リング３４１，３４１には、当該鋸紐５を進退自在に通し、その両端５１，５２を、ハンドル６の両端に連結したものとすることができ、該ハンドル６は、一文字棒６０の両端に望遠鏡状の伸縮端６１，６１を有し、それら伸縮端６１，６１先端の各連結リングに、鋸紐５の両端５１，５２を連結するようにしたものとすることができ、該ハンドル６一文字棒６０の両端間中央には、必要に応じて、吊り紐３４２および図示しない連結機構（２）を介して操竿（１１）の先端に連結したものとすることができ、操竿（１１）から取り外した一文字棒６０を、白抜き矢印方向に揺動操作すると、鋸紐５が実線矢印に示す方向に進退移動するよう動くものとしてある。
【００４８】
図４０に示すように、鋸紐５中継ヘッド３４は、図３に示した雪庇掻きヘッド３２の左右連鎖紐３２１，３２１を、ゴム製やバネ製などの左右連鎖伸縮紐３４３，３４３に置き換えたものとし、雪落とし棒３２２の両端に、左右分割型の鋸紐５，５の各端部を連結し、ハンドル６一文字棒６０を白抜き矢印方向に揺動操作すると、これに応じて雪落とし棒３２２が揺動し、左右分割型の鋸紐５，５夫々が進退移動するよう動くものとすることが可能である。
【００４９】
図７ないし図１９および図４１に示すように、操竿１１先端に接続した操紐ヘッド３３のカラビナ３３１に、吊り紐３４２を介して鋸紐中継ヘッド３４の左右端間中央を連結し、該一文字形フレーム３４０左右端の各通過リング３４１，３４１に通した鋸紐５の両端５１，５２夫々に、グリップ部６２の両端間に全体がロ字型となるよう巻き枠部６３を一体化した巻取り型のハンドル６を夫々設けたものとし、左右のハンドル６，６を交互に前後させるよう牽引操作すると、鋸紐５が実線矢印に示す方向に進退移動するよう動くものとすることが可能である。
【００５０】
図２８に示すように、ハンドル６は、握持し易い断面寸法および形状、且つ両手で把持し易い長さ４０ｃｍ前後の木製または合成樹脂製などの軽量な角棒体であって、全ての角を面取りし、両端から夫々１０ｃｍの位置に、指掛け用の凹み６４，６４を設け、両端木口中央には夫々、鋸紐５を巻掛け可能とするよう、先割れ掛止部６５，６５を設け、両端間中央に、鋸紐５を装着可能な貫通孔６６を穿設してなるバーハンドル状のものとすることができる。
【００５１】
この発明の雪庇除去具セットは、前述の雪庇除去具１に鋸紐５を組み合わせたもの、さらに、図２９および図３０に示すような、固定体７および弾性伸縮体８を組み合わせたものや、各種ハンドル６を組み合わせたものなどとすることができ、固定体７は、所定の平面積と、充分な強度とを確保可能な矩形平板状をなし、中央に鋸紐５の端部がわを固定可能とする貫通孔７０を穿設し、該貫通孔７０に上方から挿し通した鋸紐５の端部に同貫通孔７０を通過しない大きさの結び目を設けたり、脱抜防止用の部品を結着したりすることによって強固に連結し、雪中の所定深さ位置に水平姿勢とするよう埋設することによって、アンカーとして機能するようにしたものであり、弾性伸縮体８は、固定体７に端部を連結した鋸紐５の、固定体７寄りとなる中途適所に、伸縮自在に弾性変形可能な部品として組み込むものであり、市販のエキスパンダー８を介在させたものとすることができる。
【００５２】
（実施例１の作用・効果）
以上のとおりの構成からなるこの発明の雪庇除去具１を利用した建築物屋根９の除雪・除氷方法は、図１ないし図６に示すように、先ず、雪庇除去具１操竿１１先端の連結機構２ナット２０（被着部）に、雪庇切りヘッド３１または雪庇掻きヘッド３２を、そのボルト２１（施嵌部）を介して確りと連結した上、図５に示すように、地上の作業者Ｐが該雪庇除去具１を用いて、建築物屋根９から迫り出している雪庇Ｅ先端がわの、未だ軟らかい部分を上方から下向きに鋤き切るようにしたり、下方から上向きに削り上げたりするようにして図６に斜線で示すように、雪庇Ｅの先端がわを落下・除去するものであり、この作業と同時に、屋根９軒先の氷柱なども該雪庇除去具１で押したり、引いたり、叩いたりして落下させることができる。
除雪作業中の作業者Ｐは、落下してくる雪庇Ｅから身を守るよう、屋根９の真下を避けるように配置すべきなのは勿論である。
【００５３】
当該雪庇切りヘッド３１や雪庇掻きヘッド３２は、軟らかい雪庇Ｅや積雪Ｓなどを切断したり、削ったりするのに適しているが、複数日に亘って融解と凍結とを繰り返し、氷化して硬くなってしまった雪庇Ｅ部分を除去することは難しく、そうした場合には、この発明の雪庇除去具セットを利用した建築物屋根９の除雪・除氷方法を行うのがよい。
【００５４】
雪庇除去具セットを利用した建築物屋根９の除雪・除氷方法は、図７ないし図２６に示すように、何れかの操紐ヘッド３３，３３を、図３１および図３２に示すように、２本の操竿１１，１１の各先端に接続した雪庇除去具１，１を各１名、合計２名の作業者Ｐ，Ｐが利用し、地上から操竿１１，１１を操作し、１本の鋸紐５の一端５１を地上に残し、中途範囲を建築物屋根９積雪Ｓ上の桁行き方向に掛け渡し、他端５２を再び地上に到達させるよう操作した後、該鋸紐５と各操竿１１，１１操紐ヘッド３３，３３との係合を解いて離脱させた上、図３３および図３４に示すように、各作業者Ｐ，Ｐが、各自屋根９の桁行き方向両端外がわとなる地上に１人ずつ配置し、該鋸紐５の両端５１，５２夫々に、図２８に示す、ハンドル６，６を巻き解き自在に連結した上、２名の作業者Ｐ，Ｐが、交互に各ハンドル６，６を鋸引き操作するように操作し、屋根９上の積雪Ｓを桁行き方向に沿って上方から下方に向けて切断し、図３５および図３６に示すように、切断した軒先寄りの積雪Ｓをその自重によって滑落排除するよう操作するものである。
【００５５】
図３１ないし図３６に示す作業と同様の操作を複数回に亘って繰り返すことにより、図３５および図３６に示すように、屋根９上の積雪Ｓの梁間方向所定単位長さＬ毎の長方形ブロック状雪塊Ｂを、軒先がわから上方に順次、切断・落下・排除するように作業を進めることができる。
【００５６】
また、作業者Ｐが１名だけの場合には、図３１および図３２に示すのと同様に、鋸紐５の一端５１を地上に残し、操竿１１操紐ヘッド３３を操作して、同鋸紐５の中途範囲を建築物屋根９雪Ｓ上の桁行き方向に掛け渡し、他端５２を再び地上に到達させた後、該鋸紐５と操竿１１操紐ヘッド３３との係合を解いて離脱させ、図３７および図３８に示すように、該鋸紐５の一端５１にハンドル６を巻き解き自在に連結する一方、同他端５２には、弾性伸縮体８であるエキスパンダー８を介在させて固定体７の貫通孔７０に連結し、地上適所の雪を掘り起こして、同固定体７を埋め戻して踏み固め、雪中に確りと固定した上、屋根９の桁行き方向一端の地上に配した１人の作業者Ｐが、同桁行き方向他端に配したエキスパンダー８の弾性変形を利用して該ハンドル６を鋸引き操作し、屋根９上の積雪Ｓを桁行き方向に沿って上方から下方に向けて切断し、切断した軒先寄りのブロック状雪塊Ｂをその自重によって滑落排除するよう操作することができる。
【００５７】
また、この発明の雪庇除去具セットを利用した建築物屋根９の除雪・除氷方法は、図５および図６に示すように、雪庇切りヘッド３１や雪庇掻きヘッド３２を装着した操竿１１を用いて、軟らかい雪庇Ｅの表層部分を落下・除去した後、図４１に示すように、１本の操竿１１先端に、連結機構２ナット２０、ボルト２１を介して中継ヘッド３４を連結し、該中継ヘッド３４左右通過リング３４１，３４１間に１本の鋸紐５を進退自在に挿し通した上、図４２に示すように、１人の作業者Ｐが、該操竿１１を操作し、当該鋸紐５両端５１，５２夫々に、グリップ部６２の両端間に枠状の巻き枠部６３を一体化したハンドル６，６を巻き解き自在に連結し、これら左右一対のハンドル６，６をもう一方の別の作業者Ｐが把持するようにし、作業者Ｐが、地上から操竿１１をもつ作業者Ｐが、同操竿１１を操作し、該鋸紐５の中途範囲を屋根９積雪Ｓ上の桁行き方向往・復路状に掛け渡した後、１人目の作業者Ｐが、建築物桁行き方向の一方で該中継ヘッド３４を屋根９付近に配置するよう操竿１１を支持し、また、それとは別の他方の作業者Ｐが、建築物桁行き方向の他方に配して、各ハンドル６，６を左右の手で交互に鋸引き操作し、屋根９上の積雪Ｓを桁行き方向に沿って軒先寄りの往路、および、棟梁寄りの桁行き方向復路線状部分を、夫々上方から下方に向けて切断し、概ね上下２個の直方体状に切断した軒先寄りのブロック状雪塊Ｂ，Ｂをそれらの自重によって滑落排除するよう操作するようにすることができる。
【００５８】
図４１に示す、雪庇除去具セットは、図３９または図４０に示す組合せからなる雪庇除去具セットに置き換えた場合にも、同様の除雪作業性を得ることが可能である。また、雪庇除去具セットによる切断操作を終えた後も、ブロック状雪塊Ｂ，Ｂが、自重によって滑落排除できなかった場合は、作業者Ｐ，Ｐが屋根９上に登り、簡易的な雪降ろし作業によって滑落排除するよう操作することが可能であり、通常の雪降ろし作業よりも、雪を切断・分離したり、押し引き移動したりする力を然程要さず、作業負担を大幅に軽減することができる。
【００５９】
また、図４３および図４４に示すように、建築物桁行き方向に連なる雪庇Ｅを除去する場合に、２人一組の作業者Ｐ，Ｐの一方が、図４１に示す雪庇除去具セットの操竿１１を支持し、中継ヘッド３４を雪庇Ｅ上の適所に配するようにすると共に、他方の作業者Ｐが、各ハンドル６，６を左右の手で把持し、雪庇Ｅ上の所定範囲を跨ぐよう引き寄せた上、ハンドル６，６を交互に鋸引き操作し、鋸紐５で囲まれた範囲の雪庇Ｅを切除・落下させるよう操作するようにすることも可能である。
【００６０】
さらに、この発明の建築物屋根９の除雪・除氷方法は、前述のような雪庇除去具１、鋸紐５、ハンドル６、固定体７、エキスパンダー８などを含む雪庇除去具セットを利用し、図５および図６に示すように、始めに雪庇切りヘッド３１または雪庇掻きヘッド３２を連結した操竿１１を用いて建築物屋根９の雪庇Ｅを可能な限り落下・排除してしまい、その後に、図４５ないし図４７に示すように、鋸紐５、ハンドル６，６、および、操紐ヘッド３３または中継ヘッド３４を連結した操竿１１、必要に応じて固定体７、弾性伸縮体８などを適宜用い、屋根９上の積雪Ｓを桁行き方向および梁間方向に沿って夫々一定間隔Ｌ，Ｗ置き毎に、夫々上方から下方に向けて切断し、升目状複数個のブロック状雪塊Ｂ，Ｂ，……に裁断した上、自重にて落下できなかった棟寄りのブロック状雪塊Ｂ，Ｂ，……は、作業者Ｐが屋根９上に登り、簡易的な雪降ろし作業によって滑落排除するよう操作するようにすることができる。
【００６１】
図４５ないし図４７に示すように、梁間方向に平行するよう建築物屋根９上の積雪Ｓを切断する場合には、建築物屋根９の棟上を跨ぐよう鋸紐５を掛け渡し、鋸引き操作して桁行き方向の所定単位長さＷ毎に切断するようにした上、図４２および図４５に示すように、梁間方向所定単位長さＬ毎に、軒先がわから順次棟がわに段階的に切除し、ブロック状雪塊Ｂ，Ｂ，……として滑落・排除するようにして、ブロック状雪塊Ｂ，Ｂ，……の地上落下の衝撃を軽減するようにすることができ、例えば、図４５および図４６中に示すように、破線ハッチング表示した軒先よりの下から二段目までのブロック状雪塊Ｂ，Ｂ，……を、各ブロック状雪塊Ｂ，Ｂ，……の自重および鋸紐５の軒先方向への牽引力などによって地上作業のみで落下・排除してしまい、その後、作業者Ｐが屋根９上に登り、各ブロック状雪塊Ｂ，Ｂ，……を１個ずつ順次、安全に滑落させるようにして落下・排除するようにすることができる。
【００６２】
（結  び）
叙述の如く、この発明の雪建築物屋根の除雪・除氷方法、およびそれに用いる庇除去具、ならびに雪庇除去具セットは、その新規な構成によって所期の目的を遍く達成可能とするものであり、しかも製造も容易で、従前からの建築物に直接設置する除雪装置などに比較して、春から秋の建築物外観を損ねることがなく、冬期以外は収納保管して老朽化を防ぐことができ、各部品は軽量で持ち運びや保管が容易な上、低廉化して遥かに経済的なものとすることができ、地上から屋根の雪庇を安全・確実且つ短時間の内に効率的に除去することができるから、従前までであれば、高齢者や女性などのように非力で高所の除雪作業が難しかった人々はもとより、危険を冒して屋根上に登り、除雪していた人々に朗報となり、軒先の雪庇を簡単且つ安全に排除できる除雪具の提供を希望する一般家庭や、そうした切実な希望に応える商品を市場に提供したいと考える除雪用品業界、および、ホームセンターなどの除雪用品流通、販売業界においても高く評価され、広範に渡って利用、普及していくものになると予想される。                                                                                      
【符号の説明】
【００６３】
１      雪庇除去具
１１    同  操竿
２      連結機構
２０    同  ナット（被着部）
２１    同  ボルト（施嵌部）
２２    同  曲腕
３      交換ヘッド
３１    同  雪庇切りヘッド
３１０  同  Ｕ字形フレーム
３１１  同  雪切り用ワイヤー
３２    同  雪庇掻きヘッド
３２０  同  Ｔ字形フレーム
３２１  同  連鎖紐
３２２  同  雪落とし棒
３２３  同  伸縮棒
３２４  同  緊締ネジ
３３    同  操紐ヘッド
３３０  同  鈎
３３１  同  カラビナ
３３２  同  吊用の環
３４    同  鋸紐中継ヘッド
３４０  同  一文字形フレーム
３４１  同  通過リング
３４２  同  吊り紐
５      鋸紐
５０    同  瘤
５１    同  一端
５２    同  他端
Ｄ    同  瘤間隔寸法
６      ハンドル
６０    同  一文字棒
６１    同  伸縮端
６２    同  グリップ部
６３    同  巻き枠部
６４    同  指掛け用の凹み
６５    同  先割れ掛止部
６６    同  貫通孔
７      固定体
７０    同  貫通孔
８      エキスパンダー（弾性伸縮体）
９      建築物屋根
Ｅ      雪庇
Ｓ      積雪
Ｂ      ブロック状雪塊
Ｌ      梁間方向所定単位長さ
Ｗ      桁行き方向の所定単位長さ
Ｐ      作業者                                                                                              
【要約】
【課題】  建築物に構造物を設置せずとも利用可能であり、非力な高齢者や女性などであっても、地上から安全且つ効率的な作業によって、建築物屋根の雪庇およびその背後付近にある積雪を簡便に排除可能とする新たな除雪技術を提供する。
【解決手段】  建築物屋根９に到達可能な長さとし、その先端には、雪庇切りヘッド３１、雪庇掻きヘッド３２、操紐ヘッド３３、鋸紐中継ヘッド３４などを主とする、複数種で別体の交換ヘッド３を選択的に着脱交換可能とする連結機構２を備えてなる所要本数の操竿１１と、それら何れかの操竿１１に対し、少なくとも用意してある雪庇切りヘッド３１、雪庇掻きヘッド３２、操紐ヘッド３３および紐中継ヘッド３４の中、何れか１個の交換ヘッド３を、当該連結機構２を介して組み合わせてなる雪庇除去具１である。
【選択図】    図１【図１】
0005617018.tif 000002
【図２】
0005617018.tif 000003
【図３】
0005617018.tif 000004
【図４】
0005617018.tif 000005
【図５】
0005617018.tif 000006
【図６】
0005617018.tif 000007
【図７】
0005617018.tif 000008
【図８】
0005617018.tif 000009
【図９】
0005617018.tif 000010
【図１０】
0005617018.tif 000011
【図１１】
0005617018.tif 000012
【図１２】
0005617018.tif 000013
【図１３】
0005617018.tif 000014
【図１４】
0005617018.tif 000015
【図１５】
0005617018.tif 000016
【図１６】
0005617018.tif 000017
【図１７】
0005617018.tif 000018
【図１８】
0005617018.tif 000019
【図１９】
0005617018.tif 000020
【図２０】
0005617018.tif 000021
【図２１】
0005617018.tif 000022
【図２２】
0005617018.tif 000023
【図２３】
0005617018.tif 000024
【図２４】
0005617018.tif 000025
【図２５】
0005617018.tif 000026
【図２６】
0005617018.tif 000027
【図２７】
0005617018.tif 000028
【図２８】
0005617018.tif 000029
【図２９】
0005617018.tif 000030
【図３０】
0005617018.tif 000031
【図３１】
0005617018.tif 000032
【図３２】
0005617018.tif 000033
【図３３】
0005617018.tif 000034
【図３４】
0005617018.tif 000035
【図３５】
0005617018.tif 000036
【図３６】
0005617018.tif 000037
【図３７】
0005617018.tif 000038
【図３８】
0005617018.tif 000039
【図３９】
0005617018.tif 000040
【図４０】
0005617018.tif 000041
【図４１】
0005617018.tif 000042
【図４２】
0005617018.tif 000043
【図４３】
0005617018.tif 000044
【図４４】
0005617018.tif 000045
【図４５】
0005617018.tif 000046
【図４６】
0005617018.tif 000047
【図４７】
0005617018.tif 000048